(57)【特許請求の範囲】
【請求項１】
始動入賞口に球が入賞することにより、図柄表示装置の表示窓に顕示される特定図柄の変動表示を開始した後、その変動表示の表示結果が予め定めた表示結果になると入賞装置を開放する大当り制御を行うように構成された遊技機において、
前記図柄表示装置は、複数個の特定図柄を表した円弧状に湾曲した帯板状表示体と、該表示体を往復円弧移動させるために正逆回転運動を行うモータと、からなる表示部を複数有すると共に、その複数の表示部を一列状に配置して構成され、
前記始動入賞口に球が入賞することにより、前記モータが起動されて前記表示体を所定方向に往復円弧移動させて該表示体に表された複数個の特定図柄を往復変動表示させた後、図柄変動時間設定用タイマで設定された設定時間が経過したときに前記モータを停止して前記表示窓に択一的に特定された特定図柄を顕示すること特徴とする遊技機。
【発明の詳細な説明】
【０００１】
【発明の属する技術分野】
この発明はパチンコ機の遊技盤に装着される図柄表示装置に関する。
【０００２】
【従来の技術】
図柄表示装置（センタ役物）が遊技盤に装着されたパチンコ機では、複数個の図柄表示体が複数の図柄を変動表示してから変動表示を停止してそれぞれ表示図柄を特定し、各図柄表示体が特定した図板の組合わせによって当り図柄か外れ図柄かが判定される。
【０００３】
【発明が解決しようとする課題】
本発明は図柄を新規な表示態様によって表示させることを課題とするものである。
【０００４】
【課題を解決するための手段】
請求項１に記載した発明は、始動入賞口に球が入賞することにより、図柄表示装置の表示窓に顕示される特定図柄の変動表示を開始した後、その変動表示の表示結果が予め定めた表示結果になると入賞装置を開放する大当り制御を行うように構成された遊技機において、前記図柄表示装置は、複数個の特定図柄を表した円弧状に湾曲した帯板状表示体と、該表示体を往復円弧移動させるために正逆回転運動を行うモータと、からなる表示部を複数有すると共に、その複数の表示部を一列状に配置して構成され、前記始動入賞口に球が入賞することにより、前記モータが起動されて前記表示体を所定方向に往復円弧移動させて該表示体に表された複数個の特定図柄を往復変動表示させた後、図柄変動時間設定用タイマで設定された設定時間が経過したときに前記モータを停止して前記表示窓に択一的に特定された特定図柄を顕示すること特徴とする。
【０００５】
請求項１に記載した発明によれば、帯板状表示体はモータによって回転運動を直線的な運動に変換される。帯板状表示体には複数の特定図柄が表されているので、当該帯板状表示体が往復運動することにより特定図柄の往復変動を実現できる。したがって、複数個の特定図柄が往復移動するという新規な図柄の変動表示を実現することができる。
【０００６】
【発明の実施の形態】
次に、本発明の１実施形態を図１〜図４にしたがって説明する。パチンコ機（遊技機）の遊技盤１の中央部には縦一列に配列された上表示図柄3A，中表示図柄3B，下表示図柄3Cを表示する図柄表示装置２が装着されるとともに、遊技盤１には図柄表示装置２の直下に設置されて始動口4aを有する始動入賞装置４と、この始動入賞装置４の直下に設置されて大入賞口5aと特定領域5bとを有する大入賞装置５とが装着されている。
【０００７】
図柄表示装置２において、遊技盤1aにねじ止めされたベース枠10には各表示図柄3A，3B，3Cを顕示させる縦長状の表示窓11が開設されている。
【０００８】
ベース枠10には表示窓11の両側に配設された左右１対のLED窓12が開設され、左側のLED窓12の後側には大入賞口5aの開放回数を表示する回数表示LED13が設置され、右側のLED窓12の後側には大入賞口5aの開放時間を表示するカウント表示LED14が設置されている。
【０００９】
図柄表示装置２において、表示窓11の後側にはそれぞれ左右方向へ円弧状に湾曲した帯板状に形成されてそれぞれ円弧中心を中心とする左右方向への円弧移動可能に支持され、上下方向へ同心状態で配列されて個々に左右方向へ振り子状に往復移動制御される上表示板15A，中表示板15B，下表示板15Cが設置されている。
【００１０】
各表示板15A，15B，15Cには横一列に配列された複数個の図柄（本実施形態では７，５，３，１の４数字）が印刷によって連記されている。
【００１１】
各表示板15A，15B，15Cの各図柄列の各数字部分は光線が透過するように透明色によって印刷され、数字以外の生地部分は光線が透過しないように不透明色によって印刷されている。
【００１２】
各表示板15A，15B，15Cの後面には左右方向へ円弧状に湾曲したラックギア部16が全長にわたってそれぞれ形成されている。
【００１３】
ベース枠10の後方に設置されてベース枠10に結合された後板21には各表示板15A，15B，15Cを個々に駆動する上中下のステッピングモータ17が取付けられ、各ステッピングモータ17の出力軸17aには各表示板15A，15B，15Cのラックギア部16にそれぞれ噛合ったピニオン26がそれぞれ固定されている。ラックギア部16及びピニオン26は、ステッピングモータ17の回転運動を各表示板15A,15B,15Cが左右方向に往復移動する運動に変換する点で「運動変換機構」に相当する。また、当該ラックギア部１６およびピニオン２６に加えて各表示板15A,15B,15Cとステッピングモータ17は、特定図柄を表示する点で「表示部」に相当する。
【００１４】
遊技盤面1aに打込まれたパチンコ球が始動入賞装置４の始動口4aに入賞すると、各ステッピングモータ17が一斉に起動されて各出力軸17aおよび各ピニオン26がそれぞれ正逆に回転し、各表示板15A，15B，15Cがそれぞれ左右方向へ振り子状に往復円弧移動してそれぞれ図柄の変動表示を開始する。図柄の変動表示開始後、停止時間ランダム化手段が付設された図柄変動時間設定用タイマでそれぞれ設定された各設定時間、例えば６秒，（６＋ａ）秒，（６＋ａ＋ｂ）秒が経過すると各ステッピングモータ17が上から順に回転を停止して上表示板15A，中表示板15B，下表示板15Cが上から順に静止し、各表示板15A，15B，15Cとが静止したときに表示窓11に対向する位置へ移動して択一的に特定された各特定図柄、すなわち、７，５，３，１のうちの何れか１個を縦一列に３個並べた特定図柄列が表示窓11に顕示される。
【００１５】
表示窓11の後方には白色に発光するランプ19と、赤色，緑色，黄色の３色に発光する３色発光LED20とを１組とし、縦１列に配列されて各表示板15A，15B，15Cをその背後から照明して明示する３組の光源18がそれぞれ照明基板22に接続された状態で設置されている。
【００１６】
各光源18のランプ19および３色発光LED20はそれぞれ予め記憶されたプログラムに従ってそれぞれランダムに点滅制御され、各表示板15A，15B，15Cの静止時に特定された特定図柄はそれぞれ白色，赤色，緑色，黄色の４色のうちの何れか一色で照明される。
【００１７】
図柄表示装置２の各表示図柄3A，3B，3Cはそれぞれ４図柄のうちの１図柄を４色のうちの１色で照明した状態で表示され、図柄と照明色との組合わせ数は表示板15A，15B，15Cについてそれぞれ４図柄×４色＝16通りとなる。
【００１８】
各表示板15A，15B，15Cの特定図柄が全て同一図柄となったとき、および各表示板15A，15B，15Cの特定図柄が全て同一色となった時に大当りとなって大入賞装置５の大入賞口5aが大入賞装置大入賞口開放制御手段を介して例えば29.5秒間開放される。当該大入賞口5aを開放する状態は、遊技者に付与する特典に相当する。
【００１９】
大入賞口5aの開放中に大入賞口5aに入賞した入賞球が特定領域5bを通過したときには大入賞口5aが大入賞装置大賞口開放制御手段を介して29.5秒間開放される。この大入賞口5aの開放回数は初回を含めて最高16回までと規定されている。
【００２０】
各表示板15A，15B，15Cの特定図柄が全て同一図柄とならなかったとき、および、各表示板15A，15B，15Cの特定図柄が全て同一色で照明されなかったときは外れと判定される。
【００２１】
各表示板15A，15B，15Cによる図柄の組合わせ数は４×４×４＝64通りで、そのうち、大当りとなる組合わせ数は４通りとなり、また、各光源18による照明色の組合わせ数は４×４×４＝64通りで、そのうち、大当りとなる組合わせ数は４通りとなり、大当りとなる確率の合計は4/64＋4/64＝1/8となる。
【００２２】
続いて、上記した構成をもつ実施形態の作用と効果を説明する。本実施形態では横一列に配列された４個の図柄がそれぞれ連記され、この図柄列の配列方向へ個々に往復移動制御されてから静止する上中下の表示板15A，15B，15Cを並設し、各表示板15A，15B，15Cの静止時に特定されて表示窓11によって顕示された各特定図柄を、白色に発光するランプ19および赤色，黄色，緑色に発光する３色発光LED20を１組とする３組の光源18によってそれぞれ背後から照明するように構成してある。
【００２３】
このため、図柄表示装置２によって表示する各表示図柄3A，3B，3Cを各表示板15A，15B，15Cによる特定図柄と、各光源18による照明色とを複合した状態で明示することができ、各表示図柄3A，3B，3Cの表示態様を特異化して各表示板15A，15B，15Cの各特定図柄を鮮明化し、また、大当りのための条件設定を特異化してゲームへの興味を引起すことができる。
【００２４】
次に、図５〜図８に示す本発明の図柄表示装置２の第２実施形態について説明すると、ベース枠10の表示窓11の後方には前後に近接して並設された前表示板15Dと後表示板15Eとを１対とし、縦１列に配列された３対の前後表示板対が設置されている。
【００２５】
各対の前後表示板15D，15Eは第１実施形態と同様に左右方向へ円弧状に湾曲した帯板状に形成されてそれぞれ円弧中心を中心とする左右方向への円弧移動可能に支持され、それぞれステッピングモータ17によって個々に駆動されてそれぞれ左右方向へ振り子状に往復移動制御される。各前表示板15Dの後面の下端にはそれぞれラックギア部16が形成され、各後表示板15Eの後面の上端にはそれぞれラックギア部16が形成されている。
【００２６】
各対の前後表示板15D，15Eにはそれぞれ横一列に配列された９，７，５，３，１の５図柄が連記され、各対の前後表示板15D，15Eの各図柄はそれぞれ不透明色で印刷され、図柄以外の生地部分は図柄が浮き出るようにそれぞれ透明色で印刷されている。
【００２７】
各対の前後表示板15D，15Eにおいて、前後図柄列のうちの各１個の図柄がそれぞれ前後に重ね合わされて表示窓11で顕示され、前後３対の特定図柄24，25による上中下の各表示図柄3D，3E，3Fは表示窓11の後方に設置された各光源18Aによって照明される。
【００２８】
各対の前後表示板15D，15Eの静止時には前側の特定図柄24と後側の特定図柄25とは斜め方向へ若干ずれた状態で表示窓11によって顕示され、各光源18Aの照射によって後側の各特定図柄25の識別が可能となる。
【００２９】
パチンコ球が始動入賞装置４の始動口4aに入賞すると、各ステッピングモータ17が起動されて各対の前後表示板15D，15Eがそれぞれ個々に左右方向へ円弧移動し、図柄の変動表示を開始する。図柄の変動表示開始後、前記図板変動時間設定用タイマによって設定された各設定時間が経過すると、上位の前後表示板15D，15E，中央の前後表示板15D，15E，下位の前後表示板15D，15Eの順に静止し、上表示図柄3D，中表示図柄3E，下表示図柄3Fが表示窓11に顕示される。
【００３０】
図８に示すように前後表示板15D，15Eの前後特定図柄24，25が（99，77，55，33，11）となって同一図柄となり、かつ上中下の表示図柄3D，3E，3Fが同一図柄となったときに大当りとなり、それ以外は外れとなる。
【００３１】
前後表示板15D，15Eによる図柄の組合わせ数は５×５＝25通りで、そのうち前後図柄が同一となる組合わせ数は５通りとなり、大当りとなる確立は1/5×1/5×1/5＝1/125となる。
【００３２】
なお、第２実施形態のその他の作用と効果については第１実施形態とほぼ同様であるため、その説明を省略する。
【００３３】
【発明の効果】
本発明によれば、複数個の特定図柄が往復移動するという新規な表示態様を実現することができる。
【図面の簡単な説明】
【図１】本発明の第１実施形態を示す遊技盤の正面図である。
【図２】同じく、図柄表示装置の正面図である。
【図３】同じく、図柄表示装置の要部の縦断面図である。
【図４】表示板の斜視図である。
【図５】第２実施形態の図柄表示装置の正面図である。
【図６】同じく、表示板の斜視図である。
【図７】図６のＸ−Ｘ線拡大断面図である。
【図８】第２実施形態の大当り図柄の組合わせを説明する説明図である。
【符号の説明】
２  図柄表示装置
3A，3B，3C，3D，3E，  表示図柄
11  表示窓
15A，15B，15C，15D，15E  表示板
18，18A  光源
【図１】
0003738365.tif 000002
【図２】
0003738365.tif 000003
【図３】
0003738365.tif 000004
【図４】
0003738365.tif 000005
【図５】
0003738365.tif 000006
【図６】
0003738365.tif 000007
【図７】
0003738365.tif 000008
【図８】
0003738365.tif 000009